(57)【要約】      （修正有）【課題】鎌柄体の先端部に鎌刃体を折曲回動自在に設け、鎌刃体を鎌柄体に対して回動位置調節可能な回動位置調節機構を設け、鎌柄体に対する鎌刃体の取付構造を簡素化し、鎌柄体に対する鎌刃体の折曲回動位置を任意位置に確実に位置固定することができる草刈り鎌を提供する。【解決手段】鎌柄体１の先端部に鎌刃体２を折曲回動自在に設け、鎌刃体２を鎌柄体１に対して回動位置調節可能な回動位置調節機構３を設けてなり、回動位置調節機構３として、鎌柄体１と鎌刃体２との間に鎌刃体２の回動中心軸となる締付ボルト４ａをもつ締付機構４及び相互に咬合及び離反可能な一対の面ラチェットからなる面ラチェット機構５を介設してなる。【選択図】図１
0003181582.tif 000002
【実用新案登録請求の範囲】
【請求項１】
鎌柄体の先端部に鎌刃体を折曲回動自在に設け、該鎌刃体を該鎌柄体に対して回動位置調節可能な回動位置調節機構を設けてなり、上記回動位置調節機構として、上記鎌柄体と上記鎌刃体との間に該鎌刃体の回動中心軸となる締付ボルトをもつ締付機構及び相互に咬合及び離反可能な一対の面ラチェットからなる面ラチェット機構を介設してなることを特徴とする草刈り鎌。
【請求項２】
上記締付機構及び上記面ラチェット機構として、上記鎌刃体の基部に一対の基部材を挟み込み状に止着し、該鎌柄体の先端部を二股部に形成して対向一対の取付片部間に鎌刃体の基部材を差込自在な差込溝部を形成し、上記締付ボルトを一方の取付片部から該鎌刃体の基部材を挿通して他方の取付片部に配置したナットに螺着し、一方の取付片部にラチェット部材を摺動自在に設け、該ラチェット部材と該鎌刃体の基部材との対向面にそれぞれ放射凹凸条の上記一対の面ラチェットを形成し、該締付ボルトと該ラチェット部材との間に該ラチェット部材を弾圧して該ラチェット部材に形成した一方の面ラチェットを該鎌刃体の基部材に形成した他方の面ラチェットに咬合及び離反可能に弾接させるバネ部材を設けてなることを特徴とする請求項１記載の草刈り鎌。
【請求項３】
上記鎌柄体に上記鎌刃体を折畳収納可能な収納溝部を設けてなることを特徴とする請求項１又は２記載の草刈り鎌。
【考案の詳細な説明】
【技術分野】
【０００１】
本考案は、鎌柄体に対する鎌刃体の折曲回動位置を任意位置に位置固定可能とする草刈り鎌に関するものである。
【背景技術】
【０００２】
従来、この種の草刈り鎌として、鎌柄体の先端部に鎌刃体を折曲回動自在に設け、鎌刃体を該鎌柄体に対して回動位置調節可能な回動位置調節機構を設けてなる構造のものが知られている。
【先行技術文献】
【特許文献】
【０００３】
【特許文献１】特許第３３３１２０７号
【考案の概要】
【考案が解決しようとする課題】
【０００４】
しかしながらこれら従来構造の場合、鎌柄体に対する鎌刃体の取付構造が複雑化すると共に下向き、斜め上向き、水平等の草刈り姿勢に対応することが困難なことがあり、それだけ、草刈り作業性、使用の融通性及び使用の快適性に欠けることがあるという不都合を有している。
【課題を解決するための手段】
【０００５】
本考案はこれらの課題を解決することを目的とし、本考案のうちで、請求項１記載の考案は、鎌柄体の先端部に鎌刃体を折曲回動自在に設け、該鎌刃体を該鎌柄体に対して回動位置調節可能な回動位置調節機構を設けてなり、上記回動位置調節機構として、上記鎌柄体と上記鎌刃体との間に該鎌刃体の回動中心軸となる締付ボルトをもつ締付機構及び相互に咬合及び離反可能な一対の面ラチェットからなる面ラチェット機構を介設してなることを特徴とする草刈り鎌にある。
【０００６】
又、請求項２記載の考案は、上記締付機構及び上記面ラチェット機構として、上記鎌刃体の基部に一対の基部材を挟み込み状に止着し、該鎌柄体の先端部を二股部に形成して対向一対の取付片部間に鎌刃体の基部材を差込自在な差込溝部を形成し、上記締付ボルトを一方の取付片部から該鎌刃体の基部材を挿通して他方の取付片部に配置したナットに螺着し、一方の取付片部にラチェット部材を摺動自在に設け、該ラチェット部材と該鎌刃体の基部材との対向面にそれぞれ放射凹凸条の上記一対の面ラチェットを形成し、該締付ボルトと該ラチェット部材との間に該ラチェット部材を弾圧して該ラチェット部材に形成した一方の面ラチェットを該鎌刃体の基部材に形成した他方の面ラチェットに咬合及び離反可能に弾接させるバネ部材を設けてなることを特徴とするものであり、又、請求項３記載の考案は、上記鎌柄体に上記鎌刃体を折畳収納可能な収納溝部を設けてなることを特徴とするものである。
【考案の効果】
【０００７】
本考案は上述の如く、請求項１記載の考案にあっては、鎌柄体の先端部に鎌刃体を折曲回動自在に設け、該鎌刃体を該鎌柄体に対して回動位置調節可能な回動位置調節機構を設け、上記回動位置調節機構として、上記鎌柄体と上記鎌刃体との間に該鎌刃体の回動中心軸となる締付ボルトをもつ締付機構及び相互に咬合及び離反可能な一対の面ラチェットからなる面ラチェット機構を介設してなるから、鎌柄体に対する鎌刃体の取付構造を簡素化することができると共に下向き、斜め上向き、水平等の草刈り姿勢に容易に対応することができ、締付機構の締付ボルトの締付弛緩回動により面ラチェット機構の一対の面ラチェットを相互に咬合離反させることができ、下向き、斜め上向き、水平等の草刈り姿勢に応じ、鎌柄体に対する鎌刃体の折曲回動位置を任意位置に確実に位置固定することができ、それだけ、作業性、使用の融通性及び使用の快適性を高めることができる。
【０００８】
又、請求項２記載の考案にあっては、上記締付機構及び上記面ラチェット機構として、上記鎌刃体の基部に一対の基部材を挟み込み状に止着し、鎌柄体の先端部を二股部に形成して対向一対の取付片部間に鎌刃体の基部材を差込自在な差込溝部を形成し、上記締付ボルトを一方の取付片部から鎌刃体の基部材を挿通して他方の取付片部に配置したナットに螺着し、一方の取付片部にラチェット部材を摺動自在に設け、ラチェット部材と鎌刃体の基部材との対向面にそれぞれ放射凹凸条の上記一対の面ラチェットを形成し、締付ボルトとラチェット部材との間にラチェット部材を弾圧してラチェット部材に形成した一方の面ラチェットを鎌刃体の基部材に形成した他方の面ラチェットに咬合及び離反可能に弾接させるバネ部材を設けてなるから、上記締付機構の締付ボルトを弛緩回動することにより面ラチェット機構の一対の面ラチェットをラチェット部材の摺動及びバネ部材のばね作用により離反可能な状態とし、鎌刃体を締付ボルトを回動中心軸として任意位置に折曲回動位置調節し、又は、締付ボルトを取り外して鎌刃体を差替交換し、鎌刃体の回動位置調節又は鎌刃体の差替交換後、上記締付機構の締付ボルトを締付回動してナットに螺着することによりラチェット部材とナットとで鎌刃体の基部材を挟圧固定して鎌刃体を任意位置に回動位置固定すると共に面ラチェット機構の一対の面ラチェットを相互に咬合し、鎌刃体を任意折曲位置に確実に位置固定することができ、又、請求項３記載のこの場合、上記鎌柄体に上記鎌刃体を折畳収納可能な収納溝部を設けているから、上記鎌刃体の刃部を収納溝部に隠蔽収納することができ、折畳状態の安全性を高めることができる。
【図面の簡単な説明】
【０００９】
【図１】本考案の実施の形態例の斜視図である。
【図２】本考案の実施の形態例の部分分解斜視図である。
【図３】本考案の実施の形態例の部分分解斜視図である。
【図４】本考案の実施の形態例の部分断面図である。
【図５】本考案の実施の形態例の折畳状態の正面図である。
【図６】本考案の実施の形態例の折畳状態の側面図である。
【図７】本考案の実施の形態例の折畳状態の断面図である。
【考案を実施するための形態】
【００１０】
図１乃至図７は本考案の実施の形態例を示し、１は鎌柄体、２は鎌刃体であって、この場合、鎌柄体１は合成樹脂製又は木材により製作され、鎌刃体２は金属製にして、鎌身部２ａは湾曲状に形成され、鎌身部２ａの内方辺部に刃部２ｂが形成され、鎌柄体１の先端部に鎌刃体２を折曲回動自在に設け、鎌刃体２を鎌柄体１に対して回動位置調節可能な回動位置調節機構３を設けている。
【００１１】
この場合、上記回動位置調節機構３として、図２、図３、図４の如く、上記鎌柄体１と上記鎌刃体２との間に鎌刃体２の回動中心軸となる締付ボルト４ａをもつ締付機構４及び相互に咬合及び離反可能な一対の面ラチェット５ａ・５ｂからなる面ラチェット機構５を介設している。
【００１２】
この場合、図２、図３、図４の如く、上記締付機構４及び上記面ラチェット機構５として、上記鎌刃体２の基部に一対の基部材２ｃ・２ｃを挟み込み状に止着固定し、鎌柄体１の先端部を二股部に形成して対向一対の取付片部１ａ・１ａ間に鎌刃体２の基部材２ｃ・２ｃを差込自在な差込溝部１ｂを形成し、基部材２ｃ・２ｃ及び鎌身体２ａに締付ボルト４ａの挿通孔２ｄを形成し、上記締付ボルト４ａを一方の取付片部１ａから鎌刃体２の基部材２ｃ・２ｃを挿通して他方の取付片部１ａに固定配置したナット４ｂに螺着し、一方の取付片部１ａに摺動孔１ｃを形成し、摺動孔１ｃにラチェット部材５ｃを摺動自在に嵌合し、ラチェット部材５ｃと鎌刃体２の基部材２ｃとの対向面にそれぞれ放射凹凸条の上記一対の面ラチェット５ａ・５ｂを形成し、締付ボルト４ａとラチェット部材５ｃとの間にラチェット部材５ｃを弾圧してラチェット部材５ｃに形成した一方の面ラチェット５ａを鎌刃体２の基部材２ｃに形成した他方の面ラチェット５ｂに咬合及び離反可能に弾接させるバネ部材５ｄを設け、ラチェット部材５ｃに凹部５ｅ及び軸孔５ｆを形成して構成している。
【００１３】
しかして、図４の如く、上記締付機構４の締付ボルト４ａを弛緩回動することにより面ラチェット機構５の一対の面ラチェット５ａ・５ｂをラチェット部材５ｃの摺動及びバネ部材５ｄのばね作用により離反可能な状態とし、鎌刃体２を締付ボルト４ａを回動中心軸として任意位置に折曲回動位置調節し、又は、締付ボルト４ａを取り外して鎌刃体２を差替交換し、鎌刃体２の回動位置調節又は鎌刃体２の差替交換後、上記締付機構４の締付ボルト４ａを締付回動してナット４ｂに螺着することによりラチェット部材５ｃとナット４ｂとで鎌刃体２の基部材２ｃ・２ｃを挟圧固定して鎌刃体２を任意位置に回動位置固定すると共に面ラチェット機構５の一対の面ラチェット５ａ・５ｂを相互に咬合し、鎌刃体２を任意折曲位置に確実に位置固定するように構成している。
【００１４】
６は収納溝部であって、図２、図３、図５、図６の如く、上記鎌柄体１に形成され、上記鎌刃体２の刃部２ｂを折畳収納可能な形状に形成されている。
【００１５】
この実施の形態例は上記構成であるから、図１、図５の如く、鎌柄体１の先端部に鎌刃体２を折曲回動自在に設け、鎌刃体２を鎌柄体１に対して回動位置調節可能な回動位置調節機構３を設け、回動位置調節機構３として、上記鎌柄体１と上記鎌刃体２との間に鎌刃体２の回動中心軸となる締付ボルト４ａをもつ締付機構４及び相互に咬合及び離反可能な一対の面ラチェット５ａ・５ｂからなる面ラチェット機構５を介設してなるから、鎌柄体１に対する鎌刃体２の取付構造を簡素化することができると共に下向き、斜め上向き、水平等の草刈り姿勢に容易に対応することができ、締付機構４の締付ボルト４ａの締付弛緩回動により面ラチェット機構５の一対の面ラチェット５ａ・５ｂを相互に咬合離反させることができ、下向き、斜め上向き、水平等の草刈り姿勢に応じ、鎌柄体１に対する鎌刃体２の折曲回動位置を任意位置に確実に位置固定することができ、それだけ、作業性、使用の融通性及び使用の快適性を高めることができる。
【００１６】
又、この場合、図２、図３、図４の如く、上記締付機構４及び上記面ラチェット機構５として、上記鎌刃体２の基部に一対の基部材２ｃ・２ｃを挟み込み状に止着し、鎌柄体１の先端部を二股部に形成して対向一対の取付片部１ａ・１ａ間に鎌刃体２の基部材２ｃ・２ｃを差込自在な差込溝部１ｂを形成し、上記締付ボルト４ａを一方の取付片部１ａから鎌刃体２の基部材２ｃ・２ｃを挿通して他方の取付片部１ａに配置したナット４ｂに螺着し、一方の取付片部１ａにラチェット部材５ｃを摺動自在に設け、ラチェット部材５ｃと鎌刃体２の基部材２ｃ・２ｃとの対向面にそれぞれ放射凹凸条の上記一対の面ラチェット５ａ・５ｂを形成し、締付ボルト４ａとラチェット部材５ｃとの間にラチェット部材５ｃを弾圧してラチェット部材５ｃに形成した一方の面ラチェット５ａを鎌刃体２の基部材２ｃ・２ｃに形成した他方の面ラチェット５ｂに咬合及び離反可能に弾接させるバネ部材５ｄを設けてなるから、上記締付機構４の締付ボルト４ａを弛緩回動することにより面ラチェット機構５の一対の面ラチェット５ａ・５ｂをラチェット部材５ｃの摺動及びバネ部材５ｄのばね作用により離反可能な状態とし、鎌刃体２を締付ボルト４ａを回動中心軸として任意位置に折曲回動位置調節し、又は、締付ボルト４ａを取り外して鎌刃体２を差替交換し、鎌刃体２の回動位置調節又は鎌刃体２の差替交換後、上記締付機構４の締付ボルト４ａを締付回動してナット４ｂに螺着することによりラチェット部材５ｃとナット４ｂとで鎌刃体２の基部材２ｃ・２ｃを挟圧固定して鎌刃体２を任意位置に回動位置固定すると共に面ラチェット機構５の一対の面ラチェット５ａ・５ｂを相互に咬合し、鎌刃体２を任意折曲位置に確実に位置固定することができる。
【００１７】
又、この場合、図５、図６の如く、上記鎌柄体１に上記鎌刃体２を折畳収納可能な収納溝部６を設けているから、上記鎌刃体２の刃部２ｂを収納溝部６に隠蔽収納することができ、折畳状態の安全性を高めることができる。
【００１８】
尚、本考案は上記実施の形態例に限られるものではなく、鎌刃体１、鎌柄体２、回動位置調節機構３、締付機構４、面ラチェット機構５の構造や形態等は適宜設計して変更される。
【００１９】
以上の如く、所期の目的を充分達成することができる。
【符号の説明】
【００２０】
１    鎌柄体
１ａ    取付片部
１ｂ    差込溝部
２    鎌刃体
２ｃ    基部材
３    回動位置調節機構
４    締付機構
４ａ    締付ボルト
４ｂ    ナット
５    面ラチェット機構
５ａ    面ラチェット
５ｂ    面ラチェット
５ｃ    ラチェット部材
５ｄ    バネ部材
６    収納溝部
【図１】
0003181582.tif 000003
【図２】
0003181582.tif 000004
【図３】
0003181582.tif 000005
【図４】
0003181582.tif 000006
【図５】
0003181582.tif 000007
【図６】
0003181582.tif 000008
【図７】
0003181582.tif 000009